(57)【特許請求の範囲】
【請求項１】
箱形の本体と、この本体に形成された開口部に開閉可能に装着された蓋体と、前記本体内に配設されて、物品が収納される開口部を備えた内箱とを備え、前記本体の開口縁部と前記内箱の開口縁部との間に、これらの隙間を覆うとともに、前記内箱を前記本体に固定する環状の支持部材が設けられ、この支持部材に、前記内箱の開口部を覆う化粧板が設けられ、この化粧板が、前記本体と前記蓋体との突き合わせ部よりも、前記蓋体側にずれて位置させられていることを特徴とするキャリングケース。
【請求項２】
前記支持部材が、前記本体の内壁面に固定される固着部と、この固着部から離間して設けられ、前記化粧板が取り付けられる支持部と、これらの固着部と支持部とを連結する連結部とによって構成され、前記連結部が、前記本体と蓋体との突き合わせ部に対向させられているとともに、前記本体の内側へ行くにしたがい、この本体の内壁面より離間するように傾斜させられていることを特徴とする請求項１に記載のキャリングケース。
【請求項３】
前記支持部材の、前記本体の内壁面から最も離間した位置に、貫通孔が形成されていることを特徴とする請求項２に記載のキャリングケース。
【請求項４】
前記蓋体の内部には、この蓋体が閉じ位置に位置させられた状態において前記化粧板を覆う箱形のシールド部材が設けられていることを特徴とする請求項１ないし請求項３の何れかに記載のキャリングケース。
【請求項５】
前記本体の底部に、水抜き口が形成されていることを特徴とする請求項１ないし請求項４の何れかに記載のキャリングケース。
【請求項６】
前記水抜き口に、キャップが着脱可能に設けられていることを特徴とする請求項５に記載のキャリングケース。
【発明の詳細な説明】
【０００１】
【発明の属する技術分野】
本発明は、キャリングケースに係わり、特に、屋外で使用される精密機器の持ち運びに好適に用いられるキャリングケースに関するものである。
【０００２】
【従来の技術】
従来、キャリングケースとして、図３ないし図６に示す構造のものが知られている。
このキャリングケース１００は、トランク型の構造を有し、図６に示すように、上部に開口部１０１ａが形成された箱形の本体１０１と、下部に開口部１０２ａが形成された蓋体１０２とからなり、この蓋体１０２は、前記本体１０１にヒンジ１０３を介して開閉可能に取り付けられ、このヒンジ１０３が固定されている辺の対辺にフック状の鍵１０４が固定されていて、この鍵１０４によって、前記蓋体１０２が閉じ位置に保持されるようになっている。
【０００３】
そして、前記キャリングケース１００に精密機器１０５を収納して持ち運び、適宜の場所において使用するために、図６に示すように、前記精密機器１０５が本体１０１の内部底面上に収納されるとともに、前記本体１０１の開口部１０１ａに、この開口部１０１ａを覆うようにして化粧板１０６が固定され、さらに、この化粧板１０６に、前記精密機器１０５の操作部材、たとえば、表示装置や各種スイッチ類が固定された構成となっている。
【０００４】
前記化粧板１０６の固定は、本体１０１の４つの内側面に固定されたＬ金具１０７に、ネジ等の締結部材を用いて固定することによって行われている。
また、前記化粧板１０６の操作面には、必要に応じて、図示しない、アンテナや電源線等が装着される。
そして、使用に際して、自動車やヘリコプター等に搭載して移動し、必要に応じて外部への持ち出して蓋体１０２を空け、たとえば、無線装置として使用するものである。
【０００５】
【発明が解決しようとする課題】
ところで、前述したキャリングケース１００は、屋外に持ち出して使用することがあり、したがって、雨の中を持ち運ばれるケースが充分考えられる。
そして、このようなキャリングケース１００にあっては、本体１０１と蓋体１０２との突合わせ部１０８から水が入り込み、前記本体１０１内部の精密機器１０５を壊すおそれがある。
一方、前記突合わせ部１０８は、凹凸嵌合部となされることによって、水が入り難くはなっているが、防水機能が必ずしも十分ではない。
また、本体１０１の内部に収納されている無線機やプリント基板等の精密機器１０５は、前述したように、本体１０１の底部等に直接固定されており、前記本体１０１と前記蓋体１０２との突合わせ部１０８から浸入した水が、前記精密機器１０５に直接影響をおよぼすこととなる。
【０００６】
本発明は、このような従来の問題点に鑑みてなされたもので、防水機能が強化されたキャリングケースを提供することを目的とする。
【０００７】
【課題を解決するための手段】
本発明の請求項１に記載のキャリングケースは、前述した目的を達成するために、箱形の本体と、この本体に形成された開口部に開閉可能に装着された蓋体と、前記本体内に配設されて、物品が収納される開口部を備えた内箱とを備え、前記本体の開口縁部と前記内箱の開口縁部との間に、これらの隙間を覆うとともに、前記内箱を前記本体に固定する環状の支持部材が設けられ、この支持部材に、前記内箱の開口部を覆う化粧板が設けられ、この化粧板が、前記本体と前記蓋体との突き合わせ部よりも、前記蓋体側にずれて位置させられていることを特徴とする。
本発明の請求項２に記載のキャリングケースは、請求項１に記載の前記支持部材が、前記本体の内壁面に固定される固着部と、この固着部から離間して設けられ、前記化粧板が取り付けられる支持部と、これらの固着部と支持部とを連結する連結部とによって構成され、前記連結部が、前記本体と蓋体との突き合わせ部に対向させられているとともに、前記本体の内側へ行くにしたがい、この本体の内壁面より離間するように傾斜させられていることを特徴とする。
本発明の請求項３に記載のキャリングケースは、請求項２に記載の前記支持部材の、前記本体の内壁面から最も離間した位置に、貫通孔が形成されていることを特徴とする。
本発明の請求項４に記載のキャリングケースは、請求項１ないし請求項３の何れかに記載の前記蓋体の内部には、この蓋体が閉じ位置に位置させられた状態において前記化粧板を覆う箱形のシールド部材が設けられていることを特徴とする。
本発明の請求項５に記載のキャリングケースは、請求項１ないし請求項４の何れかに記載の前記本体の底部に、水抜き口が形成されていることを特徴とする。本発明の請求項６に記載のキャリングケースは、請求項５に記載の前記水抜き口に、キャップが着脱可能に設けられていることを特徴とする。
【０００８】
【発明の実施の形態】
以下、本発明の一実施形態について、図１を参照して説明する。
図１において符号１で示す本実施形態に係わるキャリングケースは、箱形の本体２と、この本体２に形成された開口部２ａに開閉可能に装着された蓋体３と、前記本体２内に配設されて、物品が収納される開口部４ａを備えた内箱４とを備え、前記本体２の開口縁部と前記内箱４の開口縁部との間に、これらの隙間を覆うとともに、前記内箱４を前記本体２に固定する環状の支持部材５が設けられ、この支持部材５に、前記内箱４の開口部４ａを覆う化粧板６が設けられ、この化粧板６が、前記本体２と前記蓋体３との突き合わせ部よりも、前記蓋体３側にずれて位置させられた概略構成となっている。
【０００９】
ついで、これらの詳細について説明すれば、前記支持部材５は、その断面形状がＺ字状に形成され、前記本体２の内壁面に固定される固着部５ａと、この固着部５ａから離間して設けられ、前記化粧板６が取り付けられる支持部５ｂと、これらの固着部５ａと支持部５ｂとを連結する連結部５ｃとによって構成され、前記連結部５ｃが、前記本体２と蓋体３との突き合わせ部７に対向させられているとともに、前記本体２の内側へ行くにしたがい、この本体２の内壁面より離間するように傾斜させられている。
そして、この支持部材５は、環状に形成されて、前記固着部５ａが、前記本体２の内周面の全周にわたって固定されることにより、前記本体２と内箱４との隙間が閉塞されている。
【００１０】
また、前記支持部材５の、前記本体２の内壁面から最も離間した位置に、貫通孔８が形成されており、この貫通孔８を介して、前記蓋体３側と本体２側とが連通させられている。
【００１１】
前記内箱４は、その開口縁部において、前記支持部材５の支持部５ｂに固着されているとともに、この支持部材５に取り付けられた状態において、前記本体２の内周面から所定距離離間させられた状態で保持されている。
そして、この内箱４の底部には、通信機器等の精密機器９が取り付けられている。
【００１２】
前記本体２の底部には、水抜き口１０が形成されており、この水抜き口１０には、キャップ１１が着脱可能に設けられている。
【００１３】
また、前記蓋体３の内部には、この蓋体３が閉じ位置に位置させられた状態において前記化粧板６を覆う箱形のシールド部材１２が設けられている。
このシールド部材１２は、前記蓋体３の内面に、複数のスペーサ１３を介して取り付けられることにより、前記蓋体３の内面との間に隙間が形成されている。
【００１４】
また、図１において符号１４は、前記本体２や蓋体３の角部表面を、その全長にわたって覆う補強金具であり、符号１５は、前記蓋体３の表面中央に設けられたハンドルである。
【００１５】
さらに、前記本体２と蓋体３とは、従来と同様に、ヒンジを介して開閉可能に連結され、また、鍵によって施錠可能となされている（これらについては、従来と同様のため、図示を省略する）。
【００１６】
このように構成された本実施形態に係わるキャリングケース１は、雨中での持ち運び等により、水が前記本体２と蓋体３との突合わせ部７から内部へ浸入することがある。
しかしながら、前記キャリングケース１の内側において、前記突合わせ部７に、前記支持部材５の連結部５ｃが対向させられていることにより、前記突合わせ部７から内部へ浸入した水が、前記連結部５ｃによって、あるいは、前記本体２の内壁面によって、前記支持部材５の下方の固着部５ａへ導かれる。
そして、前記固着部５ａには、貫通孔８が形成されていることにより、この固着部５ａへ導かれた水が、前記本体２と内箱４との隙間から、前記本体２の底部へ導かれる。
これによって、前記内箱４内に水が浸入することが防止され、この内箱４内に収納されている精密機器９に対する防水機能が確保される。
【００１７】
一方、前記蓋体３の表面に付着する水が、この蓋体３の角部と補強金具１４との隙間から、この蓋体３の内部へ浸入することが考えられる。
このように、蓋体３内に浸入した水は、この蓋体３内に設けられているシールド部材１２によって、前記化粧板６の周辺部へ案内されて、前記支持部材５の固着部５ａ上へ落下させられ、この固着部５ａに形成されている貫通孔８を介して前記本体２の底部へ導かれる。
これによって、前記内箱４内に収納されている精密機器９に対する防水機能が確保される。
【００１８】
また、前記本体２の底部へ落下させられた水は、その底部に設けられているキャップ１１を取り外して、前記水抜き口１０を開放することにより、この水抜き口１０を介して外部へ排出することができる。
【００１９】
図２は、本発明の他の実施形態を示すもので、符号２０で示す本実施形態に係わるキャリングケースは、前記ハンドル１５を、本体２の側部に設けたものである。
【００２０】
このような構成とした場合、キャリングケース２０が、前記本体２と蓋体３の突合わせ部７が鉛直方向に沿うようにして置かれる。
この状態に置いて、前記突合わせ部７から浸入した水は、その自重によって本体２内に落下させられるが、前記突合わせ部７には、前記支持部材５の連結部５ｃが対向させられているとともに、この連結部５ｃが傾斜させられていることにより、前記水が、前記連結部５ｃによって固着部５ａへ向けて導かれた後に、前記貫通孔８を介して本体２と内箱４との隙間に落下させられる。
したがって、前記内箱４内に収納されている精密機器９に対する防水機能が確保される。
【００２１】
なお、前記実施形態において示した各構成部材の諸形状や寸法等は一例であって、設計要求等に基づき種々変更可能である。
【００２２】
【発明の効果】
以上説明したように、本発明に係わるキャリングケースにあっては、その内部に浸入した水を、キャリングケース内に収納されている機器を避けるように案内して、前記水が前記機器に付着することを防止することができ、この機器に対する防水機能を確実に確保することができる。
【図面の簡単な説明】
【図１】本発明の一実施形態を示す縦断面図である。
【図２】本発明の他の実施形態を示す縦断面図である。
【図３】一従来例を示す側面図である。
【図４】一従来例を示す背面図である。
【図５】一従来例を示す平面図である。
【図６】一従来例を示す縦断面図である。
【符号の説明】
１  キャリングケース
２  本体
２ａ  開口部
３  蓋体
４  内箱
４ａ  開口部
５  支持部材
５ａ  固着部
５ｂ  支持部
５ｃ  連結部
６  化粧板
７  突合わせ部
８  貫通孔
９  精密機器
１０  水抜き口
１１  キャップ
１２  シールド部材
１３  スペーサ
１４  補強金具
１５  ハンドル
２０  キャリングケース
１００  キャリングケース
１０１  本体
１０１ａ  開口部
１０２  蓋体
１０２ａ  開口部
１０３  ヒンジ
１０４  鍵
１０５  精密機器
１０６  化粧板
１０７  Ｌ金具
１０８  突合わせ部
【図１】
0003751858.tif 000002
【図２】
0003751858.tif 000003
【図３】
0003751858.tif 000004
【図４】
0003751858.tif 000005
【図５】
0003751858.tif 000006
【図６】
0003751858.tif 000007